【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
所定の箇所に原稿が載置された状態で前記原稿の用紙サイズを検知する検知手段と、
画像が形成される用紙の用紙サイズを指定する指定手段と、
前記原稿の読み取りサイズを設定する設定手段と、
前記設定手段により設定された読み取りサイズに基づいて、前記原稿を読み取る読取手段と、
前記読取手段により前記原稿を読み取ることで生成された画像を前記用紙に形成する画像形成手段と、
を有し、
前記設定手段は、前記指定手段により指定された用紙サイズが前記検知手段により検知することのできる用紙サイズである場合、前記検知手段により検知された用紙サイズに基づいて前記原稿の読取サイズを設定し、前記指定手段により指定された用紙サイズが前記検知手段により検知することのできない用紙サイズである場合、前記指定手段により指定された用紙サイズに基づいて前記原稿の読取サイズを設定することを特徴とする画像形成装置。
【請求項２】
前記指定手段により指定された用紙サイズが前記検知手段により検知することのできない用紙サイズである場合、前記原稿の用紙サイズが前記指定手段により指定された用紙サイズであるか否かを確認する確認画面を表示する表示手段をさらに有することを特徴とする請求項１に記載の画像形成装置。
【請求項３】
前記設定手段は、前記確認画面を介した、原稿の用紙サイズが前記指定手段により指定された用紙サイズであることを示すユーザ指示に従って、前記指定手段により指定された用紙サイズを前記原稿の読み取りサイズに設定することを特徴とする請求項２に記載の画像形成装置。
【請求項４】
前記表示手段は、前記原稿の用紙サイズが前記指定手段により指定された用紙サイズでないことを示すユーザ指示に従って、前記原稿の用紙サイズを指示する入力画面を表示し、
前記設定手段は、前記入力画面を介して入力された前記原稿の用紙サイズに基づいて原稿の読み取りサイズを設定することを特徴とする請求項３に記載の画像形成装置。
【請求項５】
前記入力画面は、表示された用紙サイズから前記原稿の用紙サイズを選択する画面であり、前記検知手段により検知することのできない用紙サイズのみを表示する画面であることを特徴とする請求項４に記載の画像形成装置。
【請求項６】
設定されたコピー倍率が等倍であるか否かを判定するコピー倍率判定手段を更に有し、
前記設定手段は、前記指定手段により指定された用紙サイズが前記検知手段により検知できない用紙サイズであり、かつ、前記コピー倍率判定手段により前記コピー倍率が等倍であると判定された場合、前記指定手段により指定された用紙サイズに基づいて前記原稿の読み取りサイズを設定することを特徴とする請求項１乃至５のいずれか一項に記載の画像形成装置。
【請求項７】
前記検知手段により検知することのできる用紙サイズを記憶する記憶手段をさらに有し、
前記設定手段は、前記指定手段により指定された用紙サイズが前記記憶手段に記憶された用紙サイズでない場合、前記指定手段により指定された用紙サイズに基づいて前記原稿の読み取りサイズを設定することを特徴とする請求項１乃至６のいずれか一項に記載の画像形成装置。
【請求項８】
前記画像形成手段により画像が形成される用紙を収納する給紙手段をさらに有し、
前記指定手段は、前記給紙手段に収納される用紙の用紙サイズを指定し、
前記設定手段は、画像の印刷に用いられる用紙の給紙元として選択された前記給紙手段に対して指示された前記用紙サイズが前記検知手段により検知することのできない用紙サイズである場合、前記指定手段により指定された用紙サイズに基づいて、前記原稿の読み取りサイズを設定することを特徴とする請求項１乃至７のいずれか一項に記載の画像形成装置。
【請求項９】
前記設定手段は、前記指定手段により指定された用紙サイズが前記検知手段により検知することのできる用紙サイズである場合、前記検知手段により検知された用紙サイズに基づいて前記原稿の読み取り開始位置を設定し、前記指定手段により指定された用紙サイズが前記検知手段により検知することのできない用紙サイズである場合、前記指定手段により指定された用紙サイズに基づいて、前記原稿の読み取り開始位置を設定することを特徴とする請求項１乃至８のいずれか一項に記載の画像形成装置。
【請求項１０】
前記読取手段は、前記設定手段により設定された読み取り開始位置と読み取りサイズに基づいて前記原稿を読み取ることを特徴とする請求項９に記載の画像形成装置。
【請求項１１】
前記画像形成装置は、原稿の有無を検知する複数のセンサを備えた原稿載置部をさらに有し、
前記検知手段は前記複数のセンサによる検知結果に基づいて前記原稿の用紙サイズを検知することを特徴とする請求項１乃至１０のいずれか一項に記載の画像形成装置。
【請求項１２】
前記所定の箇所に載置された原稿を前記読取手段に搬送する搬送手段をさらに有することを特徴とする請求項１乃至１１のいずれか一項に記載の画像形成装置。
【請求項１３】
前記指定手段は、前記読取手段により原稿を読み取ることで生成される画像データに基づいて、前記画像形成手段が画像を形成するコピージョブの実行開始より前に、用紙サイズを指定することを特徴とする請求項１乃至１２のいずれか一項に記載の画像形成装置。
【請求項１４】
所定の箇所に原稿が載置された状態で前記原稿の用紙サイズを検知する検知手段と、
画像が印刷される用紙の用紙サイズを指定する指定手段と、
前記指定手段により指定された用紙サイズに応じて、前記検知手段により検知された用紙サイズ、又は、前記指定手段により指定された用紙サイズに基づく前記原稿の読み取りサイズを設定する設定手段と、
前記設定手段により設定された読み取りサイズに基づいて、前記原稿を読み取る読取手段と、
前記読取手段により前記原稿を読み取ることで生成された画像を前記用紙に形成する画像形成手段と、
を有することを特徴とする画像形成装置。
【請求項１５】
前記設定手段は、前記指定手段により指定された用紙サイズが前記検知手段により検知することのできる用紙サイズの場合、前記検知手段により検知された用紙サイズに基づいて前記原稿の読み取り開始位置を設定し、前記指定手段により指定された用紙サイズが前記検知手段により検知することのできない用紙サイズの場合、前記指定手段により指定された用紙サイズに基づいて原稿の読み取り開始位置を設定することを特徴とする請求項１４に記載の画像形成装置。
【請求項１６】
所定の箇所に原稿が載置された状態で前記原稿の用紙サイズを検知する検知工程と、
画像が形成される用紙の用紙サイズを指定する指定工程と、
前記原稿の読み取りサイズを設定する設定工程と、
前記設定工程により設定された読み取りサイズに基づいて、前記原稿を読み取る読取工程と、
前記読取工程により前記原稿を読み取ることで生成された画像を前記用紙に形成する画像形成工程と、
を含み、
前記設定工程では、前記指定工程において指定された用紙サイズが前記検知工程において検知することのできる用紙サイズである場合、前記検知工程において検知された用紙サイズに基づいて前記原稿の読み取りサイズを設定し、前記指定工程において指定された用紙サイズが前記検知工程において検知することのできない用紙サイズである場合、前記指定工程において指定された用紙サイズに基づいて前記原稿の読み取りサイズを設定することを特徴とする画像形成装置の制御方法。
【請求項１７】
所定の箇所に原稿が載置された状態で前記原稿の用紙サイズを検知する検知工程と、
画像が印刷される用紙の用紙サイズを指定する指定工程と、
前記指定工程により指定された用紙サイズに応じて、前記検知工程により検知された用紙サイズ、又は、前記指定工程により指定された用紙サイズに基づく前記原稿の読み取りサイズを設定する設定工程と、
前記設定工程により設定された読み取りサイズに基づいて、前記原稿を読み取る読取工程と、
前記読取工程により前記原稿を読み取ることで生成された画像を前記用紙に形成する画像形成工程と、
を含むことを特徴とする画像形成装置の制御方法。
【請求項１８】
請求項１６又は請求項１７に記載の画像形成装置の制御方法をコンピュータに実行させるためのプログラム。
【手続補正２】
【補正対象書類名】明細書
【補正対象項目名】発明の名称
【補正方法】変更
【補正の内容】
【発明の名称】画像形成装置、画像形成装置の制御方法及びプログラム
【手続補正３】
【補正対象書類名】明細書
【補正対象項目名】０００１
【補正方法】変更
【補正の内容】
【０００１】
本発明は、画像形成装置、画像形成装置の制御方法及びプログラムに関する。
【手続補正４】
【補正対象書類名】明細書
【補正対象項目名】０００５
【補正方法】変更
【補正の内容】
【０００５】
そこで、本発明の画像形成装置は、所定の箇所に原稿が載置された状態で前記原稿の用紙サイズを検知する検知手段と、画像が形成される用紙の用紙サイズを指定する指定手段と、前記原稿の読み取りサイズを設定する設定手段と、前記設定手段により設定された読み取りサイズに基づいて、前記原稿を読み取る読取手段と、前記読取手段により前記原稿を読み取ることで生成された画像を前記用紙に形成する画像形成手段と、を有し、前記設定手段は、前記指定手段により指定された用紙サイズが前記検知手段により検知することのできる用紙サイズである場合、前記検知手段により検知された用紙サイズに基づいて前記原稿の読取サイズを設定し、前記指定手段により指定された用紙サイズが前記検知手段により検知することのできない用紙サイズである場合、前記指定手段により指定された用紙サイズに基づいて前記原稿の読取サイズを設定することを特徴とする。
【手続補正５】
【補正対象書類名】明細書
【補正対象項目名】０００９
【補正方法】変更
【補正の内容】
【０００９】
図１は、本実施形態における画像形成装置の一態様である複写装置１００のハードウェア構成の一例を示す図である。
複写装置１００は、ＣＰＵ１０１、ＲＯＭ１０２、ＲＡＭ１０３、画像処理部１０４、無線通信部１０５、操作パネル（ＰＡＮＥＬ）１０６、表示部（ＬＣＤ）１０７をハードウェア構成として有している。複写装置１００は、更に、プリンタ部（ＰＲＩＮＴＥＲ）１０８、スキャナ部（ＳＣＡＮＮＥＲ）１０９、有線通信部１１０をハードウェア構成として有している。
ＣＰＵ１０１は、システムバス（Ｓｙｓｔｅｍ  Ｂｕｓ）１１１に接続される各デバイスを総括的に制御すると共に、ＲＯＭ１０２に記憶されたプログラムを実行する。ＣＰＵ１０１がプログラムに基づき処理を実行することにより複写装置１００の機能及び後述するフローチャートの処理が実現される。
ＲＡＭ１０３は、ＣＰＵ１０１の主メモリ、ワークエリアとして機能するほか、装置の設定情報を保存するためのバックアップ可能なメモリとして使用される。以下に示す実施形態で用いられる各トレイに対する用紙サイズ設定情報や用紙タイプ設定情報、サービス向けの各種設定情報はＲＡＭ１０３に保存される。